(57)【要約】【課題】マイナスイオン及び鉱石の特有イオンを効率良く、多量に発生し、優れた健康、美容を発揮させる。【解決手段】上槽タンク（長方形）図３の内部に循環送水配管パイプに無数の２１穴を開け、１水中ポンプの送水圧力を利用して２１の穴から噴出した圧力温水をイオン発生生成材６に衝撃を加え、２２の上からオーバーフローしたイオン水がデザインと癒しを兼ねた５の石を伝わり落下し滝となって、６のイオン生成材に衝撃と温水シブキになり、高湿度とマイナスイオン等が発生し室内に充満す装置。多量のイオン発生鉱石と多量の温水を循環させ、室内温度と滝落とし温水温度が同温度となる事により湿度が空気化して呼吸しながら低温で長時間入浴できるサウナ。【選択図】      図２
2007014737.tif 000002
【特許請求の範囲】
【請求項１】
マイナスイオン生成材に温熱で抵抗を加え高湿度とマイナスイオ及び遠赤外線等を発生、室内温度を発生させたイオン・高湿度等を同じ温度にする事により空気のようになるので身体に呼吸しやすくする事により吸収し、マイナスイオン・遠赤外線により低温でも発汗できる装置。
【請求項２】
上槽に、貯水槽又はタンク槽を設置してその水槽タンクの中心部より下方にポンプ送水管を固定し、その送水管に無数の穴を開け、貯水タンクの中にマイナスイオン・遠赤外線イオン発生生成材鉱石等を搬入、送水管の無数の穴から圧力によって温水がイオン発生生成材に圧力が加わり高湿度とマイナスイオン及び遠赤外線等が発生する装置。
【請求項３】
上槽タンクより温水が、マイナスイオン・遠赤外線・その他のイオン水となってオーバーフローとなる、その温水が石板面を滝のように流れながら、マイナスイオン・遠赤外線・高湿度等が室内に散布できる装置。
【請求項４】
下槽に温水タンクを設置し、そのタンクにマイナスイオン・遠赤外線生成材鉱石等を多量に搬入して置く、落下した温水の衝撃で又イオンと高湿度等が落差等でシブキが発生し水槽タンクに蓄積される、その温水を送水ポンプで上槽タンクの配管に送水する循環装置。
【発明の詳細な説明】
【技術分野】
【０００１】  本発明はトルマリン鉱石・黒曜石・北投石・麦飯石・ラジュウム鉱石等に温水熱で圧力を加え、マイナスイオン・遠赤外線及び高湿度を発生させて循環滝落とし装置で室内に散布させてイオン等を高湿度に含ませ室内空気と混合ができる装置、サウナ関係に使用すると呼吸する事により、人体に様々な健康利点になる装置である。
【背景技術】
【０００２】  近年は大変な温泉ブームに加え、健康・美容志向も加わり鉱石等から出るマイナスイオン等の効能利用型サウナが従来型サウナに加え各種提案されている。しかしながら自然の力に頼る物の中で十分にその効能が出し切れないものが目立つし、単に加熱するだけで汗をかくだけのものやランニングコスト面でも大変な経費がかかる物ばかりが目に付く。例えば、トルマリン鉱石等の石の持つ特性も、明らかに高圧・高温水に依る作用を与えればその石の持つ特性を引き出せるが、それらの技術は解決されておらず、単に温水に浸ける、又周辺に敷き詰めて高温の電気炉等で焼くにすぎず、理論に基づく効能の出し方技術が開発されていない。【０００３】  又、温度を安定させる為の装置の燃費・熱源に関し実際の運営面での経費も大きな問題だ。更に鉱石の持つ特性を低温で増幅させる事には全く先行き技術も無く、又体も温まる事は温まっても、体の芯まで温まらず汗だけが出ても冷えを伴うのが大半だ、それだの問題点を解決し人間的に健康で技術的にも確立した発汗方法と、ランニングコストの改善が今まさに望まれている。
【発明の開示】
【発明が解決しようとする課題】
【０００４】  トルマリン鉱石や黒曜石等を使用するに当り、鉱石の使用量の問題がある。わずかばかりの鉱石を置いたばかりでは効能効果が題目に過ぎず、質も必要であり又量も必要である事、効能を出す為の装置の開発が大きなポイントで有る。【０００５】  トルマリン鉱石の特徴を高温によってマイナスイオン等を取り出せば良いと言う事はほぼわかっているが、その適切な方法が確立されていない。【０００６】  今迄のサウナには黒曜石は使用させていない、今回の開発により黒曜鉱石の特徴をサウナに使用する事に成功・銀銅・亜鉛等の抗菌性金属元素を含有し、サウナ内で使用する事により温熱で抗菌性に維持する大きな役目を果たしている。特に長野県和田峠産の黒曜石は効能が大きい。【０００７】  ランニングコストに関しては、先願特許２００４−２９４７０４（Ｐｒｏｏｆ）提出日平成１６年１０月７日、先願特願２００５−１１９６８４（Ｐｒｏｏｆ）提出日平成１７年４月１８日荻原大が出願後本サウナ体験装置施工にて他社とは違う快感出来る大きな成果が上がった又、省エネルギー効果等を確認できた。【０００８】  高温サウナには特筆すべき冷えの問題がある。短時間に無理な受熱に依る体の芯まで温まらないと言う現象は、いわば一種の冷汗と同様で、長時間ゆっくりと体温を上昇させる事に依る効果の正反対の結果が出る事はわかっている。多量にイオン生成材を使用して、温熱でイオン生成材に圧力を加えて循環しながらマイナスイオン・遠赤外線等を発生させて高湿度化させた事により、呼吸が楽にでき器官等を活性しながら芯まで温まる。
体の芯まで温める事の重要性は一見無関係に見える事だが石鹸の必要が無く体の有用な資質を残し、無駄な老廃物のみ吹き出させる効能がある事や、人間  の持ち合わせている芯底に有る健全化機能を活性化する事によって必然的に体が蘇ること。それは全ての根源で有ると同時に血液の流れも良くする。血管内をきれいにすると言う活気的な装置である。
【課題を解決する為の手段】
【０００９】  下槽の水槽の中にボイラーからの温熱管１５を敷き入れて温水を循環させて槽の温水を４０℃〜４２℃に温める、下槽タンクの中に多量のマイナスイオン・遠赤外線等の生成材に温熱を加える事によりマイナスイオン。遠赤外線等が発生する。その温水を更に、上槽に据え付けた、温水配管２パイプに無数の穴を開けた配管に水中ポンプから温熱水を送る事によりイオン生成材３に圧力が加わりマイナスイオン等が発生させる滝落とし循環型装置である。
【００１０】  荻原大整理番号・Ｐ０４０Ｈ０１特願２００４−２９４７０４（Ｐｒｏｏｆ）提出日平成１６年１０月７日
【発明の名称】
マイナスイオンサウナの滝落とし装置、及び整理番号・Ｐ０５０Ｈ０１特願２００５−１１９６８４（Ｐｒｏｏｆ）提出日・平成１７年４月１８日実験体験を行った結果その滝落としを合理化し、工場加工生産が出来る事を発明して、多くの方々の福祉に使用できるように改良した物である。
【発明の効果】
【００１１】  滝落とし装置発明によりマイナスイオン・遠赤外線等を高湿度と混合させる装置をコンパクト化してサウナ室内に設置する事により、コストが安価になる更に、作業と室内が合理化できる。
【００１２】  下槽の温水タンクに多量のイオン生成材を投入が出来る、その生成材に温水を溜める事によりマイナスイオンが発生し易く黒曜石を使用する事により、抗菌作用が働き、サウナ独特の汗の臭い等が無い。
【００１３】  滝落としイオン発生の開発によりイオン水をコバ石積状５の所に温水を流す事で観象が良く、同時にイオン及び湿度が空気と混合出来、高湿度とマイナスイオン等が空気状となりサウナ室内に充満する約８０％湿度、室内温度を３８℃〜４２℃の低温で４５分〜１時間リラックスしながら呼吸するので身体の毒素が発汗し活性できるサウナです又弱者の健康活性化にも最適です。
【００１４】  送水圧力を利用してイオン発生生成材が多量に搬入できる装置の開発と、水道水を循環する事とによって特有の濃縮イオンが多量に発生し他社では無い特有サウナの為、今後の福祉と弱者にも最適サウナである。
【００１５】  低温と高湿度により、長時間入浴ができるので体の芯まで温まり活性化する事とサウナ入浴後の疲労が無く、口の渇きが少ないことが体験所の結果よい事が判った。先願特許申請、荻原大  整理番号Ｐ０４０Ｈ０１  特願２００４−２９４７０４（ｒｏｏｆ）整理番号・Ｐ０５０Ｈ０１・特願２００５−１１９６８４（Ｐｒｏｏｆ）提出日１７年４月１８日等の改良を加え、現場施工を工場加工で製作合理化ができた。
体験場を当社に施設し７０００人以上の体験者の反応が良好である。
【００１６】  最も大きな効果として室温が低温である事や、空気の柔らかさ等が作用してゆっくり時間をかけて発汗する事が出来、その為女性や弱者・病気がちな人等、普段汗のかく事が出来ない人達の為に最適といえる装置であると共に無論健康な人でも又スポーツ選手にも温め疲労回復をさせる著効がある。
【００１７】  言うまでもなく、ここに使われている鉱石類（トルマリン鉱石・黒曜石・‥ラジューム鉱石・麦飯石その他の鉱石等）がその特性をだしている為いろいろな効能が有り、明らかに医療に対しても著効が有ると思われる。
【図面の簡単な説明】
【００１９】
【図１】本発明を適用したマイナスイオン温水循環滝落とし横断面図である。
【図２】滝落と斜面図である。
【図３】上槽タンクの温水圧力配管図である。
【符号の説明】
１．水中ポンプ
２．温水噴出しパイプ
３．マイナスイオン遠赤外線発生生成材
４．温水オーバーフロー滝落とし口
５．石・コバ積
６．マイナスイオン遠赤外線発生生成材
７．温水循環貯水槽
８．架台（コンクリート・又はブロック積）
９．送水パイプ
１０．上槽タンク
１１．下槽タンク
１２．スノコ架台
１３．防水装置
１４．特殊シンダーコンクリート
１５．温熱パイプ
１６．防水ヒート及び断熱材
１７．基礎コンクリート
１８．温水上槽タンク
１９．下槽タンク
２０．特殊トルマリンパネル盤
２１．温水噴出し穴
２２．温水オーバーフロー
【図１】
2007014737.tif 000003
【図２】
2007014737.tif 000004
【図３】
2007014737.tif 000005